(57)【特許請求の範囲】
【請求項１】
移動局に対して送信するコネクション再設定信号内の情報要素を設定することができるように構成されている設定部と、
前記移動局に対して、前記コネクション再設定信号を送信するように構成されている送信部とを具備しており、
前記移動局に対する測定設定情報として、測定報告に係る第１測定対象、該測定報告に係る第１報告条件、及び、該第１測定対象と該第１報告条件とを関連付ける第１測定ＩＤが設定されている場合に、
前記設定部は、前記コネクション再設定信号内の測定設定情報要素に、前記第１報告条件と同じ内容の第２報告条件を追加するように指示する報告設定追加情報要素、及び、前記第１測定対象と該第２報告条件とを関連付ける第２測定ＩＤを追加するように指示する測定ＩＤ追加情報要素を設定するように構成されており、
前記設定部は、前記報告設定情報要素に含まれる前記第２報告条件に係る報告設定情報要素に、前記測定報告に対して前記移動局の位置情報を付与するように指定する位置情報付与情報要素を設定するように構成されていることを特徴とする無線基地局。
【請求項２】
移動局に対して送信するコネクション再設定信号内の情報要素を設定することができるように構成されている設定部と、
前記移動局に対して、前記コネクション再設定信号を送信するように構成されている送信部とを具備しており、
前記移動局に対する測定設定情報として、測定報告に係る測定対象、該測定報告に係る報告条件、及び、該測定対象情報と該報告設定情報とを関連付ける測定ＩＤが設定されている場合に、
前記設定部は、前記コネクション再設定信号内の測定設定情報要素に、前記報告設定情報の内容を変更するように指示する報告設定変更情報要素を設定するように構成されており、
前記設定部は、前記報告設定変更情報要素に、前記報告条件に係る報告設定情報要素を設定するように構成されており、
前記報告設定情報要素に、前記測定報告に対して前記移動局の位置情報を付与するように指定する位置情報付与情報要素を設定するように構成されていることを特徴とする無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、通信事業者によって行われる走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
かかるＭＤＴの一種である「Ｉｍｍｅｄｉａｔｅ  ＭＤＴ」では、移動局ＵＥは、「ｅｖｅｎｔ  Ａ２」及び「Ｐｅｒｉｏｄｉｃ  ｍｅａｓｕｒｅｍｅｎｔ」ののときのみ、「Ｍｅａｓｕｒｅｍｅｎｔ  Ｒｅｐｏｒｔ」に「ＬｏｃａｔｉｏｎＩｎｆｏ（移動局ＵＥの位置情報）」を付与してネットワークに報告するように構成されている。
【０００４】
具体的には、図７に示すように、運用保守サーバＯＡＭ（Ｏｐｅｒａｔｉｏｎ  Ａｎｄ  Ｍａｉｎｔｅｎａｎｃｅ）が、「ＭＤＴ  Ａｃｔｉｖａｔｉｏｎ」における「Ｔｒｉｇｇｅｒ  Ｔｙｐｅ」に「ｅｖｅｎｔ  Ａ２」又は「Ｐｅｒｉｏｄｉｃ  ｍｅａｓｕｒｅｍｅｎｔ」のどちらかを指定する。
【０００５】
かかる「ＭＤＴ  Ａｃｔｉｖａｔｉｏｎ」を受信した無線基地局ｅＮＢは、「ＲＲＣＣｏｎｎｅｃｔｉｏｎＲｅｃｏｎｆｉｇｕｒａｔｉｏｎ」によって、移動局ＵＥに対して「ＭＤＴ  Ｃｏｎｆｉｇｕｒａｔｉｏｎ」を実施する。
【０００６】
ここで、無線基地局ｅＮＢは、上述の「Ｔｒｉｇｇｅｒ  Ｔｙｐｅ」に「ｅｖｅｎｔ  Ａ２」又は「Ｐｅｒｉｏｄｉｃ  ｍｅａｓｕｒｅｍｅｎｔ」のどちらかが指定されている場合、図８に示すように、「ＲＲＣＣｏｎｎｅｃｔｉｏｎＲｅｃｏｎｆｉｇｕｒａｔｉｏｎ」内の「ＭｅａｓＣｏｎｆｉｇ」内の「ＲｅｐｏｒｔＣｏｎｆｉｇＥＵＴＲＡ」に、移動局ＵＥの位置情報を付加するように指定する「ｉｎｃｌｕｄｅＬｏｃＩｎｆｏ」を設定することができる。
【先行技術文献】
【非特許文献】
【０００７】
【非特許文献１】３ＧＰＰ  ３７.３２０
【非特許文献２】３ＧＰＰ  ３６.３３１
【発明の概要】
【発明が解決しようとする課題】
【０００８】
しかしながら、従来の「Ｉｍｍｅｄｉａｔｅ  ＭＤＴ」では、上述のように、無線基地局ｅＮＢは、「ＭＤＴ  Ａｃｔｉｖａｔｉｏｎ」におおいて「ｅｖｅｎｔ  Ａ２」又は「Ｐｅｒｉｏｄｉｃ  ｍｅａｓｕｒｅｍｅｎｔ」以外の「Ｔｒｉｇｇｅｒ  Ｔｙｐｅ」が指定されている場合には、「（ＭＤＴ）ＭｅａｓｕｒｅｍｅｎｔＲｅｐｏｒｔ」と共に、移動局ＵＥの位置情報を取得することができないという問題点があった。
【０００９】
そこで、本発明は、上述の課題に鑑みてなされたものであり、「Ｉｍｍｅｄｉａｔｅ  ＭＤＴ」において、全ての「Ｔｒｉｇｇｅｒ  Ｔｙｐｅ」のケースにおいて、「（ＭＤＴ）ＭｅａｓｕｒｅｍｅｎｔＲｅｐｏｒｔ」と共に移動局ＵＥの位置情報を取得することができる無線基地局を提供することを目的とする。
【課題を解決するための手段】
【００１０】
本発明の第１の特徴は、無線基地局であって、コネクション再設定信号内の情報要素を設定することができるように構成されている設定部と、移動局に対して、前記コネクション再設定信号を送信するように構成されている送信部とを具備しており、前記設定部は、前記コネクション再設定信号に、測定設定情報要素及び位置情報付与情報要素を設定することができるように構成されており、前記設定部は、前記測定設定情報要素に、測定報告に係る測定対象を特定する測定対象情報、該測定報告に係る報告条件を特定する報告設定情報、及び、該測定対象情報と該報告設定情報とを関連付ける測定ＩＤを設定することができるように構成されており、前記設定部は、前記位置情報付与情報要素に、前記測定報告に対して移動局の位置情報を付与するように指定することができるように構成されていることを要旨とする。
【００１１】
本発明の第２の特徴は、無線基地局であって、移動局に対して送信するコネクション再設定信号内の情報要素を設定することができるように構成されている設定部と、前記移動局に対して、前記コネクション再設定信号を送信するように構成されている送信部とを具備しており、前記移動局に対する測定設定情報として、測定報告に係る第１測定対象、該測定報告に係る第１報告条件、及び、該第１測定対象と該第１報告条件とを関連付ける第１測定ＩＤが設定されている場合に、前記設定部は、前記コネクション再設定信号内の測定設定情報要素に、前記第１報告条件と同じ内容の第２報告条件を追加するように指示する報告設定追加情報要素、及び、前記第１測定対象と該第２報告条件とを関連付ける第２測定ＩＤを追加するように指示する測定ＩＤ追加情報要素を設定するように構成されており、前記設定部は、前記報告設定情報要素に含まれる前記第２報告条件に係る報告設定情報要素に、前記測定報告に対して前記移動局の位置情報を付与するように指定する位置情報付与情報要素を設定するように構成されていることを要旨とする。
【００１２】
本発明の第３の特徴は、無線基地局であって、移動局に対して送信するコネクション再設定信号内の情報要素を設定することができるように構成されている設定部と、前記移動局に対して、前記コネクション再設定信号を送信するように構成されている送信部とを具備しており、前記移動局に対する測定設定情報として、測定報告に係る測定対象、該測定報告に係る報告条件、及び、該測定対象情報と該報告設定情報とを関連付ける測定ＩＤが設定されている場合に、前記設定部は、前記コネクション再設定信号内の測定設定情報要素に、前記報告設定情報の内容を変更するように指示する報告設定変更情報要素を設定するように構成されており、前記設定部は、前記報告設定変更情報要素に、前記報告条件に係る報告設定情報要素を設定するように構成されており、前記報告設定情報要素に、前記測定報告に対して前記移動局の位置情報を付与するように指定する位置情報付与情報要素を設定するように構成されていることを要旨とする。
【発明の効果】
【００１３】
以上説明したように、本発明によれば、「Ｉｍｍｅｄｉａｔｅ  ＭＤＴ」において、全ての「Ｔｒｉｇｇｅｒ  Ｔｙｐｅ」のケースにおいて、「（ＭＤＴ）ＭｅａｓｕｒｅｍｅｎｔＲｅｐｏｒｔ」と共に移動局ＵＥの位置情報を取得することができる無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＲＲＣＣｏｎｎｅｃｔｉｏｎＲｅｃｏｎｆｉｇｕｒａｔｉｏｎ」メッセージのフォーマット例を示す図である。
【図４】本発明の変更例１及び変更例２に係る無線基地局の機能について説明するための図である。
【図５】本発明の変更例１に係る無線基地局によって送信される「ＲｅｐｏｒｔＣｏｎｆｉｇＥＵＴＲＡ」の一例について説明するための図である。
【図６】本発明の変更例２に係る無線基地局によって送信される「ＲｅｐｏｒｔＣｏｎｆｉｇＩｎｔｅｒＲＡＴ」の一例について説明するための図である。
【図７】従来技術を説明するための図である。
【図８】従来技術を説明するための図である。
【発明を実施するための形態】
【００１５】
（本発明の第１の実施形態に係る移動通信システム）
図１乃至図３を参照して、本発明の第１の実施形態に係る移動通信システムについて説明する。
【００１６】
図１に示すように、本実施形態に係る移動通信システムは、運用保守サーバＯＡＭと、無線基地局ｅＮＢとを具備している。なお、本実施形態に係る移動通信システムでは、ＬＴＥのＲｅｌｅａｓｅ-１１方式において規定されている「Ｉｍｍｅｄｉａｔｅ  ＭＤＴ」を実現することが可能である。
【００１７】
図１に示すように、運用保守サーバＯＡＭは、無線基地局ｅＮＢに対して、「ＭＤＴ  ｍｏｄｅ」及び「Ｔｒｉｇｇｅｒ  Ｔｙｐｅ」を設定した「ＭＤＴ  Ａｃｔｉｖａｔｉｏｎ」を送信するように構成されている。
【００１８】
ここで、「Ｔｒｉｇｇｅｒ  Ｔｙｐｅ」に「指定無し」又は「Ａｌｌ」が設定されている場合に、全ての「Ｔｒｉｇｇｅｒ  Ｔｙｐｅ」の「（ＭＤＴ）ＭｅａｓｕｒｅｍｅｎｔＲｅｐｏｒｔ」と共に移動局ＵＥの位置情報を送信するように指示されているものとする。
【００１９】
図２に示すように、本実施形態に係る無線基地局ｅＮＢは、設定部１１と、送信部１２と、受信部１３と、管理部１４とを具備している。
【００２０】
送信部１２は、運用保守サーバＯＡＭや移動局ＵＥに対して各種信号を送信するように構成されており、受信部１３は、運用保守サーバＯＡＭや移動局ＵＥから各種信号を受信するように構成されている。
【００２１】
例えば、受信部１３が、運用保守サーバＯＡＭから「ＭＤＴ  Ａｃｔｉｖａｔｉｏｎ」を受信した場合、送信部１２が、移動局ＵＥに対して「ＲＲＣＣｏｎｎｅｃｔｉｏｎＲｅｃｏｎｆｉｇｕｒａｔｉｏｎ」を送信することによって、移動局ＵＥに対して「ＭＤＴ  Ｃｏｎｆｉｇｕｒａｔｉｏｎ」を実施するように構成されている。
【００２２】
また、管理部１４は、各移動局ＵＥに対して設定されている測定設定情報を管理するように構成されている。
【００２３】
例えば、管理部１４は、かかる測定設定情報として、「（ＭＤＴ）ＭｅａｓｕｒｅｍｅｎｔＲｅｐｏｒｔ」に係る「ＭｅａｓＯｂｊｅｃｔ」、「（ＭＤＴ）ＭｅａｓｕｒｅｍｅｎｔＲｅｐｏｒｔ」に係る「ＲｅｐｏｒｔＣｏｎｆｉｇ」、及び、「ＭｅａｓＯｂｊｅｃｔ」と「ＲｅｐｏｒｔＣｏｎｆｉｇ」とを関連付ける「ＭｅａｓＩｄ」を管理するように構成されている。
【００２４】
設定部１１は、上述の「ＲＲＣＣｏｎｎｅｃｔｉｏｎＲｅｃｏｎｆｉｇｕｒａｔｉｏｎ」内の情報要素を設定することができるように構成されている。
【００２５】
ここで、上述の「Ｔｒｉｇｇｅｒ  Ｔｙｐｅ」に「指定無し」又は「Ａｌｌ」が設定されている場合、設定部１１は、図３に示すように、「ＲＲＣＣｏｎｎｅｃｔｉｏｎＲｅｃｏｎｆｉｇｕｒａｔｉｏｎ」に、「ＭｅａｓＣｏｎｆｉｇ」及び「ｉｎｃｌｕｄｅＬｏｃＩｎｆｏ」を設定するように構成されている。
【００２６】
かかる場合、設定部１１は、「ｉｎｃｌｕｄｅＬｏｃＩｎｆｏ」に、「（ＭＤＴ）ＭｅａｓｕｒｅｍｅｎｔＲｅｐｏｒｔ」に対して移動局ＵＥの位置情報を付与するように指定することができるように構成されている。
【００２７】
なお、設定部１１は、従来と同様に、「ＭｅａｓＣｏｎｆｉｇ」内に、「（ＭＤＴ）ＭｅａｓｕｒｅｍｅｎｔＲｅｐｏｒｔ」に係る「ＭｅａｓＯｂｊｅｃｔ」を特定する「ＭｅａｓＯｂｊｅｃｔＩｄ」、「（ＭＤＴ）ＭｅａｓｕｒｅｍｅｎｔＲｅｐｏｒｔ」に係る「ＲｅｐｏｒｔＣｏｎｆｉｇ」を特定する「ＲｅｐｏｒｔＣｏｎｆｉｇＩｄ」、及び、「ＭｅａｓＯｂｊｅｃｔＩｄ」と「ＲｅｐｏｒｔＣｏｎｆｉｇＩｄ」とを関連付ける「ＭｅａｓＩｄ」を設定することができるように構成されている。
【００２８】
本実施形態に係る移動通信システムによれば、無線基地局ｅＮＢは、走行試験をminimizeするために、通信事業者によって行われる走行試験による手間やコストを削減するために、ＭＤＴを用いて、ネットワークのカバレッジ 品質を示す「ｍｅａｓｕｒｅｍｅｎｔ（「Ｅｖｅｎｔ  Ａ２」及び「Ｐｅｒｉｏｄｉｃ  ｍｅａｓｕｒｅｍｅｎｔ」）」に係る「ＭｅａｓｕｒｅｍｅｎｔＲｅｐｏｒｔ」を介してだけでなく、ハンドオーバ関係の「ｍｅａｓｕｒｅｍｅｎｔ（「Ｅｖｅｎｔ  Ａ３/Ａ５/Ｂ１/Ｂ２」）」に係る「ＭｅａｓｕｒｅｍｅｎｔＲｅｐｏｒｔ」を介しても、移動局ＵＥの位置情報を取得することができる。
【００２９】
また、本実施形態に係る移動通信システムによれば、現時点で移動局ＵＥに対して設定されている測定設定情報に対して、全ての「Ｔｒｉｇｇｅｒ  Ｔｙｐｅ」の「ＭｅａｓｕｒｅｍｅｎｔＲｅｐｏｒｔ」に対して移動局ＵＥの位置情報を付加するように修正することができる。
【００３０】
さらに、本実施形態に係る移動通信システムによれば、今後、移動局ＵＥに対して設定される測定設定情報に対しても、全ての「Ｔｒｉｇｇｅｒ  Ｔｙｐｅ」の「ＭｅａｓｕｒｅｍｅｎｔＲｅｐｏｒｔ」に対して移動局ＵＥの位置情報を付加するように指示することができる。
【００３１】
（変更例１）
図４を参照して、本発明の変更例１に係る移動通信システムについて説明する。以下、本変更例１に係る移動通信システムについて、上述の第１の実施形態に係る移動通信システムとの相違点に着目して説明する。
【００３２】
本変更例１に係る移動通信システムでは、現時点で、移動局ＵＥに対する測定設定情報として、「（ＭＤＴ）ＭｅａｓｕｒｅｍｅｎｔＲｅｐｏｒｔ」に係る「ＭｅａｓＯｂｊｅｃｔ＃１」、「（ＭＤＴ）ＭｅａｓｕｒｅｍｅｎｔＲｅｐｏｒｔ」に係る「ＲｅｐｏｒｔＣｏｎｆｉｇ＃１」、及び、「ＭｅａｓＯｂｊｅｃｔ＃１」と「ＲｅｐｏｒｔＣｏｎｆｉｇ＃１」とを関連付ける「ＭｅａｓＩｄ＃１」が設定されているものとする（図４参照）。
【００３３】
ここで、上述の「Ｔｒｉｇｇｅｒ  Ｔｙｐｅ」に「指定無し」又は「Ａｌｌ」が設定されている場合、設定部１１は、図４に示すように、「ＲＲＣＣｏｎｎｅｃｔｉｏｎＲｅｃｏｎｆｉｇｕｒａｔｉｏｎ」内の「ＭｅａｓＣｏｎｆｉｇ」に、上述の「ＲｅｐｏｒｔＣｏｎｆｉｇ＃１」と同じ内容の「ＲｅｐｏｒｔＣｏｎｆｉｇ＃２」を追加するように指示する「ｒｅｐｏｒｔＣｏｎｆｉｇＴｏＡｄｄＭｏｄＬｉｓｔ」、及び、「ＭｅａｓＯｂｊｅｃｔ＃１」と「ＲｅｐｏｒｔＣｏｎｆｉｇ＃２」とを関連付ける「ＭｅａｓＩｄ＃２」を追加するように指示する「ｍｅａｓＩｄＴｏＡｄｄＭｏｄＬｉｓｔ」を設定するように構成されている。
【００３４】
かかる場合、設定部１１は、図５に示すように、「ｒｅｐｏｒｔＣｏｎｆｉｇＴｏＡｄｄＭｏｄＬｉｓｔ」に含まれる「ＲｅｐｏｒｔＣｏｎｆｉｇ＃２」に係る「ＲｅｐｏｒｔＣｏｎｆｉｇＥＵＴＲＡ」に、「（ＭＤＴ）ＭｅａｓｕｒｅｍｅｎｔＲｅｐｏｒｔ」に対して移動局ＵＥの位置情報を付与するように指定する「ｉｎｃｌｕｄｅＬｏｃＩｎｆｏ」を設定するように構成されている。
【００３５】
本実施形態に係る移動通信システムによれば、移動局ＵＥに対する測定設定情報として設定される「ＲｅｐｏｒｔＣｏｎｆｉｇ」及び「ＭｅａｓＩｄ」の数は、２倍になってしまうが、現時点で移動局ＵＥに対して設定されている測定設定情報の内容を変更することなく、かかる測定設定情報に対して、全ての「Ｔｒｉｇｇｅｒ  Ｔｙｐｅ」の「ＭｅａｓｕｒｅｍｅｎｔＲｅｐｏｒｔ」に対して移動局ＵＥの位置情報を付加するように修正することができる。
【００３６】
（変更例２）
図４を参照して、本発明の変更例２に係る移動通信システムについて説明する。以下、本変更例１に係る移動通信システムについて、上述の第１の実施形態及び変更例２に係る移動通信システムとの相違点に着目して説明する。
【００３７】
本変更例１に係る移動通信システムでは、現時点で、移動局ＵＥに対する測定設定情報として、「（ＭＤＴ）ＭｅａｓｕｒｅｍｅｎｔＲｅｐｏｒｔ」に係る「ＭｅａｓＯｂｊｅｃｔ＃１」、「（ＭＤＴ）ＭｅａｓｕｒｅｍｅｎｔＲｅｐｏｒｔ」に係る「ＲｅｐｏｒｔＣｏｎｆｉｇ＃１」、及び、「ＭｅａｓＯｂｊｅｃｔ＃１」と「ＲｅｐｏｒｔＣｏｎｆｉｇ＃１」とを関連付ける「ＭｅａｓＩｄ＃１」が設定されているものとする（図４参照）。
【００３８】
ここで、上述の「Ｔｒｉｇｇｅｒ  Ｔｙｐｅ」に「指定無し」又は「Ａｌｌ」が設定されている場合、設定部１１は、「ＲＲＣＣｏｎｎｅｃｔｉｏｎＲｅｃｏｎｆｉｇｕｒａｔｉｏｎ」内の「ＭｅａｓＣｏｎｆｉｇ」に、「ＲｅｐｏｒｔＣｏｎｆｉｇ＃１」の内容を変更するように指示する「ｒｅｐｏｒｔＣｏｎｆｉｇＴｏＡｄｄＭｏｄＬｉｓｔ」を設定するように構成されている。
【００３９】
かかる場合、設定部１１は、「ｒｅｐｏｒｔＣｏｎｆｉｇＴｏＡｄｄＭｏｄＬｉｓｔ」に、「ＲｅｐｏｒｔＣｏｎｆｉｇ＃１」に係る「ＲｅｐｏｒｔＣｏｎｆｉｇＩｎｔｅｒＲＡＴ」を設定するように構成されており、図６に示すように、かかる「ＲｅｐｏｒｔＣｏｎｆｉｇＩｎｔｅｒＲＡＴ」に、「（ＭＤＴ）ＭｅａｓｕｒｅｍｅｎｔＲｅｐｏｒｔ」に対して移動局ＵＥの位置情報を付与するように指定する「ｉｎｃｌｕｄｅＬｏｃＩｎｆｏ」を設定するように構成されている。
【００４０】
本実施形態に係る移動通信システムによれば、移動局ＵＥに対する測定設定情報として設定される「ＲｅｐｏｒｔＣｏｎｆｉｇ」及び「ＭｅａｓＩｄ」の数を増やすこと無く、現時点で移動局ＵＥに対して設定されている測定設定情報に対して、全ての「Ｔｒｉｇｇｅｒ  Ｔｙｐｅ」の「ＭｅａｓｕｒｅｍｅｎｔＲｅｐｏｒｔ」に対して移動局ＵＥの位置情報を付加するように修正することができる。
【００４１】
以上に述べた本実施形態の特徴は、以下のように表現されていてもよい。
【００４２】
本実施形態の第１の特徴は、無線基地局ｅＮＢであって、「ＲＲＣＣｏｎｎｅｃｔｉｏｎＲｅｃｏｎｆｉｇｕｒａｔｉｏｎ（コネクション再設定信号）」内の情報要素を設定することができるように構成されている設定部１１と、移動局ＵＥに対して、「ＲＲＣＣｏｎｎｅｃｔｉｏｎＲｅｃｏｎｆｉｇｕｒａｔｉｏｎ」を送信するように構成されている送信部１２とを具備しており、設定部１１は、「ＲＲＣＣｏｎｎｅｃｔｉｏｎＲｅｃｏｎｆｉｇｕｒａｔｉｏｎ」に、「ＭｅａｓＣｏｎｆｉｇ（測定設定情報要素）」及び「ｉｎｃｌｕｄｅＬｏｃＩｎｆｏ（位置情報付与情報要素）」を設定することができるように構成されており、設定部１１は、「ＭｅａｓＣｏｎｆｉｇ」内に、「（ＭＤＴ）ＭｅａｓｕｒｅｍｅｎｔＲｅｐｏｒｔ（測定報告）」に係る「ＭｅａｓＯｂｊｅｃｔ（測定対象）」を特定する「ＭｅａｓＯｂｊｅｃｔＩｄ（測定対象情報）」、「（ＭＤＴ）ＭｅａｓｕｒｅｍｅｎｔＲｅｐｏｒｔ」に係る「ＲｅｐｏｒｔＣｏｎｆｉｇ（報告条件）」を特定する「ＲｅｐｏｒｔＣｏｎｆｉｇＩｄ（報告設定情報）」、及び、「ＭｅａｓＯｂｊｅｃｔＩｄ」と「ＲｅｐｏｒｔＣｏｎｆｉｇＩｄ」とを関連付ける「ＭｅａｓＩｄ（測定ＩＤ）」を設定することができるように構成されており、設定部１１は、「ｉｎｃｌｕｄｅＬｏｃＩｎｆｏ」に、「（ＭＤＴ）ＭｅａｓｕｒｅｍｅｎｔＲｅｐｏｒｔ」に対して移動局ＵＥの位置情報を付与するように指定することができるように構成されていることを要旨とする。
【００４３】
本実施形態の第２の特徴は、無線基地局ｅＮＢであって、移動局ＵＥに対して送信する「ＲＲＣＣｏｎｎｅｃｔｉｏｎＲｅｃｏｎｆｉｇｕｒａｔｉｏｎ」内の情報要素を設定することができるように構成されている設定部１１と、移動局ＵＥに対して、「ＲＲＣＣｏｎｎｅｃｔｉｏｎＲｅｃｏｎｆｉｇｕｒａｔｉｏｎ」を送信するように構成されている送信部１２とを具備しており、移動局ＵＥに対する測定設定情報として、「（ＭＤＴ）ＭｅａｓｕｒｅｍｅｎｔＲｅｐｏｒｔ」に係る「ＭｅａｓＯｂｊｅｃｔ＃１」、「（ＭＤＴ）ＭｅａｓｕｒｅｍｅｎｔＲｅｐｏｒｔ」に係る「ＲｅｐｏｒｔＣｏｎｆｉｇ＃１」、及び、「ＭｅａｓＯｂｊｅｃｔ＃１」と「ＲｅｐｏｒｔＣｏｎｆｉｇ＃１」とを関連付ける「ＭｅａｓＩｄ＃１」が設定されている場合に、設定部１１は、「ＲＲＣＣｏｎｎｅｃｔｉｏｎＲｅｃｏｎｆｉｇｕｒａｔｉｏｎ」内の「ＭｅａｓＣｏｎｆｉｇ」に、上述の「ＲｅｐｏｒｔＣｏｎｆｉｇ＃１」と同じ内容の「ＲｅｐｏｒｔＣｏｎｆｉｇ＃２」を追加するように指示する「ｒｅｐｏｒｔＣｏｎｆｉｇＴｏＡｄｄＭｏｄＬｉｓｔ（報告設定追加情報要素）」、及び、「ＭｅａｓＯｂｊｅｃｔ＃１」と「ＲｅｐｏｒｔＣｏｎｆｉｇ＃２」とを関連付ける「ＭｅａｓＩｄ＃２」を追加するように指示する「ｍｅａｓＩｄＴｏＡｄｄＭｏｄＬｉｓｔ（測定ＩＤ追加情報要素）」を設定するように構成されており、設定部１１は、「ｒｅｐｏｒｔＣｏｎｆｉｇＴｏＡｄｄＭｏｄＬｉｓｔ」に含まれる「ＲｅｐｏｒｔＣｏｎｆｉｇ＃２」に係る「ＲｅｐｏｒｔＣｏｎｆｉｇＥＵＴＲＡ（報告設定情報要素）」に、「（ＭＤＴ）ＭｅａｓｕｒｅｍｅｎｔＲｅｐｏｒｔ」に対して移動局ＵＥの位置情報を付与するように指定する「ｉｎｃｌｕｄｅＬｏｃＩｎｆｏ」を設定するように構成されていることを要旨とする。
【００４４】
本実施形態の第３の特徴は、無線基地局ｅＮＢであって、移動局ＵＥに対して送信する「ＲＲＣＣｏｎｎｅｃｔｉｏｎＲｅｃｏｎｆｉｇｕｒａｔｉｏｎ」内の情報要素を設定することができるように構成されている設定部１１と、移動局ＵＥに対して、「ＲＲＣＣｏｎｎｅｃｔｉｏｎＲｅｃｏｎｆｉｇｕｒａｔｉｏｎ」を送信するように構成されている送信部１２とを具備しており、移動局ＵＥに対する測定設定情報として、「（ＭＤＴ）ＭｅａｓｕｒｅｍｅｎｔＲｅｐｏｒｔ」に係る「ＭｅａｓＯｂｊｅｃｔ＃１」、「（ＭＤＴ）ＭｅａｓｕｒｅｍｅｎｔＲｅｐｏｒｔ」に係る「ＲｅｐｏｒｔＣｏｎｆｉｇ＃１」、及び、「ＭｅａｓＯｂｊｅｃｔ＃１」と「ＲｅｐｏｒｔＣｏｎｆｉｇ＃１」とを関連付ける「ＭｅａｓＩｄ＃１」が設定されている場合に、設定部１１は、「ＲＲＣＣｏｎｎｅｃｔｉｏｎＲｅｃｏｎｆｉｇｕｒａｔｉｏｎ」内の「ＭｅａｓＣｏｎｆｉｇ」に、「ＲｅｐｏｒｔＣｏｎｆｉｇ＃１」の内容を変更するように指示する「ｒｅｐｏｒｔＣｏｎｆｉｇＴｏＡｄｄＭｏｄＬｉｓｔ（報告設定変更情報要素）」を設定するように構成されており、設定部１１は、「ｒｅｐｏｒｔＣｏｎｆｉｇＴｏＡｄｄＭｏｄＬｉｓｔ」に、「ＲｅｐｏｒｔＣｏｎｆｉｇ＃１」に係る「ＲｅｐｏｒｔＣｏｎｆｉｇＥＵＴＲＡ」を設定するように構成されており、設定部１１は、「ＲｅｐｏｒｔＣｏｎｆｉｇＥＵＴＲＡ」に、「（ＭＤＴ）ＭｅａｓｕｒｅｍｅｎｔＲｅｐｏｒｔ」に対して移動局ＵＥの位置情報を付与するように指定する「ｉｎｃｌｕｄｅＬｏｃＩｎｆｏ」を設定するように構成されていることを要旨とする。
【００４５】
なお、上述の移動局ＵＥや無線基地局ｅＮＢや運用保守サーバＯＡＭの動作は、ハードウェアによって実施されてもよいし、プロセッサによって実行されるソフトウェアモジュールによって実施されてもよいし、両者の組み合わせによって実施されてもよい。
【００４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや運用保守サーバＯＡＭ内に設けられていてもよい。また、かかる記憶媒体及びプロセッサは、ディスクリートコンポーネントとして移動局ＵＥや無線基地局ｅＮＢや運用保守サーバＯＡＭ内に設けられていてもよい。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４９】
ＵＥ…移動局
ｅＮＢ…無線基地局
ＯＡＭ…運用保守サーバ
１１…設定部
１２…送信部
１３…受信部
１４…管理部
【図１】
0005499117.tif 000002
【図２】
0005499117.tif 000003
【図３】
0005499117.tif 000004
【図４】
0005499117.tif 000005
【図５】
0005499117.tif 000006
【図６】
0005499117.tif 000007
【図７】
0005499117.tif 000008
【図８】
0005499117.tif 000009